(57)【要約】親（１）が、大人服（１００）を着用し、子供キャリア（２００）により赤ちゃん（２）を横抱きに抱っこした状態においては、大人服（１００）に設けられた上部接続具のメス型バックル（１０４ｂ，１０６ｂ）に、子供キャリア（２００）のオス型バックル（２０９，２２５）が連結され、大人服（１００）に設けられた下部接続具のリング状バックル（１０７ｂ）に子供キャリア（２００）のクリップ（２３０）が係合している。この構成により、装着時において、外観の印象が通常の衣服を着ている状態と変わりない、子守帯としての機能を有する、ファッション性、カジュアル性に富み、男性にあっても、何ら違和感なく使用することのできる、大人服、子供服、および、親子服を提供することが可能になる。
2003082034.tif 000002
【特許請求の範囲】
【請求項１】
使用者（１）が子供キャリア（２００，７００）を用いて子供を抱っこすることが可能な大人服（１００，６００）であって、
一対の袖口を形成するように設けられる前身頃（１０１ａ，１０１ｂ）および後身頃（１０２）と、
前記前身頃（１０１ａ，１０１ｂ）および前記後身頃（１０２）に設けられ、前記袖口の上側を通過するループ状の一対の肩ベルト部材（１２４，１２５）と、
前記前身頃（１０１ａ，１０１ｂ）および前記後身頃（１０２）の下端部近傍領域に設けられ、前記肩ベルト部材（１２４，１２５）の両下端部が連結されるループ状の腰ベルト部材（１２１，１２２，１２３）と、
前記子供キャリア（２００，７００）を接続するため、前記肩ベルト部材（１２４，１２５）に連結される第１子供キャリア接続具と、
を備える、大人服。
【請求項２】
前記肩ベルト部材（１２４，１２５）は、前記前身頃（１０１ａ，１０１ｂ）および前記後身頃（１０２）の内面側に設けられ、前記第１子供キャリア接続具は、前記前身頃（１０１ａ，１０１ｂ）および前記後身頃（１０２）の外面側に設けられる、請求項１に記載の大人服。
【請求項３】
前記子供キャリア（２００，７００）を接続するため、前記腰ベルト部材（１２１，１２２，１２３）に連結される第２子供キャリア接続具をさらに備える、請求項１に記載の大人服。
【請求項４】
前記子供キャリア（２００，７００）は、前記子供キャリア（２００，７００）の一端が、前記腰ベルト部材（１２１，１２２，１２３）に接続され、前記子供キャリア（２００，７００）の他端に前記第１子供キャリア接続具に連結される連結具が設けられ、折りたたみ可能に当該大人服（１００，６００）に収納されることを特徴とする、請求項１に記載の大人服。
【請求項５】
一端が前記腰ベルト部材（１２１，１２２，１２３）に接続され、他端に前記第１子供キャリア接続具に連結される連結具が設けられ、折りたたみ可能に当該大人服（１００，６００）に収納される子供尻支えを有する、請求項１に記載の大人服。
【請求項６】
使用者（１）が着用する大人服（１００，６００）のキャリアに連結保持されることが可能な子供服であって、
前記キャリアに着脱可能に連結される接続具と、
子供の股部を支持する股受部（１４６）と、
を備える、子供服。
【請求項７】
当該子供服の表面に沿って、縦方向に延びるように取付けられる帯状部材をさらに備え、
前記接続具は、前記帯状部材に連結されている、請求項６に記載の子供服。
【請求項８】
前記帯状部材は、縦方向に延びる一対の縦帯を含む、請求項７に記載の子供服。
【請求項９】
前記股受部を通過し、縦帯を連結する横帯をさらにを含む、請求項８に記載の子供服。
【請求項１０】
前記帯状部材は、当該子供服の背面側に設けられる、請求項７に記載の子供服。
【請求項１１】
前記接続具を収納するためのポケットをさらに備える、請求項６に記載の子供服。
【請求項１２】
親が着用するための親側服と、
子供が着用するための子側服と、
前記子側服を前記親側服によって保持するための接続手段と、
を備える、親子服。
【請求項１３】
前記親側服は、
一対の袖口を形成するように設けられる前身頃（１０１ａ，１０１ｂ）および後身頃（１０２）と、
前記前身頃（１０１ａ，１０１ｂ）および前記後身頃（１０２）に設けられ、前記袖口の上側を通過するループ状の一対の肩ベルト部材（１２４，１２５）と、
前記前身頃（１０１ａ，１０１ｂ）および前記後身頃（１０２）の下端部近傍領域に設けられ、前記肩ベルト部材（１２４，１２５）の両下端部が連結されるループ状の腰ベルト部材（１２１，１２２，１２３）と、
前記子側服を接続するため、前記肩ベルト部材（１２４，１２５）に連結される子供キャリア接続具と、
を有する請求項１２に記載の親子服。
【請求項１４】
前記子側服は、
前記親側服に着脱可能に連結される接続具と、
子供の股部を支持する股受部と、
を有する、請求項１２に記載の親子服。
【請求項１５】
前記親側服に対して、前記子側服は、そのすべてが取外し可能に設けられる、請求項１２に記載の親子服。
【請求項１６】
前記子側服は少なくともその股受部を前記親側服に残して、他の領域を取外し可能に設けられる、請求項１２に記載の親子服。
【請求項１７】
前記親側服と前記子側服とは、服生地が同じである、請求項１２に記載の親子服。
【請求項１８】
使用者（１）が装着し、使用者側連結具を有する使用者装着部材、および前記使用者側連結具に対して着脱可能に設けられる赤ちゃん側連結具を有し、前記使用者装着部材とともに赤ちゃんを保持するための赤ちゃん保持部材を用いて赤ちゃんを抱っこする際に着用される大人服であって、
前記使用者側連結具を外方に向けて通過させ、この使用者側連結具と、前記赤ちゃん側連結具とを結合可能とするための第１開口部を備える、大人服。
【請求項１９】
前記第１開口部は開閉可能に設けられる、請求項１８に記載の大人服。
【請求項２０】
前記使用者装着部材は、使用者（１）の腰部に装着され、使用者（１）の前側部分で相互に着脱可能な分離ベルトを含む腰ベルト部材（６２１）を有し、
当該大人服（１００，６００）は、前記分離ベルトを外方に向けて通過させ、当該大人服（１００，６００）の外側において、前記分離ベルトの着脱を可能とするための第２開口部を備える、請求項１８に記載の大人服。
【請求項２１】
当該大人服（１００，６００）の外面には、当該大人服（１００，６００）に対して着脱可能な被覆部材が設けられ、前記第２開口部は、前記被覆部材に覆われる領域に設けられる、請求項２０に記載の大人服。
【請求項２２】
前記被覆部材は上端部が前身頃（１０１ａ，１０１ｂ）に固定されるポケットである、請求項２１に記載の大人服。
【請求項２３】
当該大人服（１００，６００）は、前記使用者装着部材を、その内面側に着脱可能に連結するための連結手段を有する、請求項１８に記載の大人服。
【請求項２４】
大人が着用する大人服（１００，６００）であって、
前身頃（１０１ａ，１０１ｂ）の左右の上部領域に設けられ、表面から裏面に向けて貫通する１対の第１スリットを備える、大人服。
【請求項２５】
前記第１スリットは、横方向に配置される、請求項２４に記載の大人服。
【請求項２６】
前記第１スリットは、縦方向に複数設けられる、請求項２５に記載の大人服。
【請求項２７】
前記前身頃（１０１ａ，１０１ｂ）の左右の下部領域に設けられ、表面から裏面に向けて貫通する１対の第２スリットを備える、請求項２４に記載の大人服。
【請求項２８】
前記第２スリットは、縦方向に配置される、請求項２４に記載の大人服。
【請求項２９】
前記第１および第２スリットは、開閉可能に設けられる、請求項２４に記載の大人服。
【請求項３０】
当該大人服（１００，６００）の外面には、当該大人服に対して着脱可能な被覆部材が設けられ、前記第２スリットは、前記被覆部材に覆われる領域に設けられる、請求項２７に記載の大人服。
【請求項３１】
前記被覆部材は、上端部側が前身頃（１０１ａ，１０１ｂ）に固定されたポケットである、請求項３０に記載の大人服。
【発明の詳細な説明】
技術分野
この発明は、育児に用いられる大人服、子供服、および、親子服の構造に関する。
背景技術
従来の育児に用いられ、親側が装着するものとして、子守帯が挙げられる。この子守帯は、外観上一対の肩ベルトを供え、その肩ベルトに、子供を保持するための子供キャリヤを連結可能に取付けて使用する。
しかし、この子守帯の形態は、一見して明らかに子守帯を装着していることが第三者からわかるものであり、子供キャリヤを装着しない状態で、親側の子守帯のみを装着した状態では、本人および周囲の第三者に対して違和感を与えるものとなる。また、近年、育児においては、母親だけでなく父親の育児への参加の重要性が提唱されているが、現状の子守帯を装着することに対しては、子守帯を装着した場合の外観から、子守帯の装着に対して抵抗感を抱く男性が多いことも事実である。
発明の開示
この発明は、装着時において、外観の印象が通常の衣服を着ている状態と変わりない、子守帯としての機能を有する、ファッション性、カジュアル性に富み、男性にあっても、何ら違和感なく使用することのできる、大人服、子供服、および、親子服を提供することを目的とする。
この発明にある局面に基づいた大人服においては、使用者が子供キャリアを用いて子供を抱っこすることが可能な大人服であって、一対の袖口を形成するように設けられる前身頃および後身頃と、上記前身頃および上記後身頃に設けられ、上記袖口の上側を通過するループ状の一対の肩ベルト部材と、上記前身頃および上記後身頃の下端部近傍領域に設けられ、上記肩ベルト部材の両下端部が連結されるループ状の腰ベルト部材と、上記子供キャリアを接続するため、上記肩ベルト部材に連結される第１子供キャリア接続具とを備える。
この大人服によれば、前身頃および後身頃を備えていることから、外観上は、通常の服と同一視することが可能となり、大人服そのもののファッション性およびカジュアル性を維持させることが可能になる。その結果、男性であっても抵抗なくこの大人服を着用することができ、男性の育児参加を促すことが可能になる。
また、子供キャリアを接続し子供を保持した状態においては、子供の荷重は、ループ状の一対の肩ベルト部材およびこの肩ベルト部材の両下端部が連結されるループ状の腰ベルト部材に分散されることになるため、前身頃および後身頃に子供の荷重が加わることなく、また、前身頃および後身頃にしわ等を発生させることなく安定した状態で、子供を保持することが可能になる。
また、前身頃および後身頃に一対の肩ベルト部材が設けられていることから、肩ベルト部材のループの位置を安定させ、肩ベルト部材が親の肩から外れることを防止することが可能になる。さらに、腰ベルト部材が設けられ、この腰ベルト部材に肩ベルト部材の両下端部が連結されていることから、肩ベルト部材が親の身体から離れることを防止して、腰ベルト部材により確実に子供の荷重をサポートすることを可能としている。
また、上記大人服において好ましくは、上記肩ベルト部材は、上記前身頃および上記後身頃の内面側に設けられ、上記第１子供キャリア接続具は、上記前身頃および上記後身頃の外面側に設けられる。この大人服によれば、肩ベルト部材は、外観上現れてこないため、大人服のデザイン、ファッション性、カジュアル性を損なうことがない。また、第１子供キャリア接続具は外面側に設けられることにより、子供キャリアを接続するときの操作性を維持させることが可能となる。
また、上記大人服において好ましくは、上記子供キャリアを接続するため、上記腰ベルト部材に連結される第２子供キャリア接続具をさらに備える。この大人服によれば、直接第２子供キャリア接続具に子供キャリアを接続することが可能となるため、子供の荷重を確実に腰ベルト部材に負担させることが可能になる。
また、上記大人服において好ましくは、上記子供キャリアは、上記子供キャリアの一端が、上記腰ベルト部材に接続され、上記子供キャリアの他端に上記第１子供キャリア接続具に連結される連結具が設けられ、折りたたみ可能に当該大人服に収納されることを特徴とする。
この大人服によれば、子供キャリアの不使用時には、大人服に折りたたんで収納できることから、外出時等における子供キャリアの持運び時に、別途子供キャリアを保持しなければならない煩わしさを排除し、また、子供キャリアを使用したいときには、いつでも即座に使用することが可能になる。
また、上記大人服において好ましくは、一端が上記腰ベルト部材に接続され、他端に上記第１子供キャリア接続具に連結される連結具が設けられ、折りたたみ可能に当該大人服に収納される子供尻支えを有する。
この大人服によれば、身体全体が安定した７〜８ヶ月を経過した赤ちゃんにおいては、子供尻支えがあれば、十分に安全に赤ちゃんをサポートすることができ、また、子供キャリアのコンパクト化が図れるため、子供キャリアの不使用時における大人服のファッション性、カジュアル性をさらに向上させることが可能になる。
次に、この発明に基づいた子供服においては、使用者が着用する大人服のキャリアに連結保持されることが可能な子供服であって、上記キャリアに着脱可能に連結される接続具と、子供の股部を支持する股受部とを備える。
この子供服によれば、股受部により子供の荷重を確実にサポートし、安全な状態で、大人服のキャリアに連結保持されることを可能としている。
また、上記子供服において好ましくは、子供服の表面に沿って、縦方向に延びるように取付けられる帯状部材をさらに備え、上記接続具は、上記帯状部材に連結されている。この子供服によれば、接続具を通じて帯状部材により効果的に子供の荷重を帯状部材によってサポートすることが可能となる。
また、上記子供服において好ましくは、上記帯状部材は、縦方向に延びる一対の縦帯を含む。この子供服によれば、子供の荷重が加わる方向に沿って帯状部材が設けられていることになり、より効果的に子供の荷重を帯状部材によってサポートすることが可能となる。
また、上記子供服において好ましくは、上記股受部を通過し、縦帯を連結する横帯をさらにを含む。この子供服によれば、もっとも荷重が集中する股受部に横帯を配置することで、子供の荷重が横帯から縦帯にかけて加わることになり、さらに効果的に子供の荷重を帯状部材によってサポートすることが可能となる。
また、上記子供服において好ましくは、上記帯状部材は、当該子側服の背面側に設けられる。この子供服によれば、帯状部材に荷重か加わった場合には、子供を背面側から親側に当接させる力が働き、子供が親から離れるのを防止して、子供に安心感を与えることか可能となる。
また、上記子供服において好ましくは、上記接続具を収納するためのポケットをさらに備える。この子供服をキャリアとしてでなく、通常の子供服として使用する場合においても、接続具をポケットに収納しておくことで、接続具が邪魔にならず、また、子供服としての、ファッション性、カジュアル性を損なうことがない。
次に、この発明に基づいた親子服においては、親が着用するための親側服と、子供が着用するための子側服と、上記子側服を上記親側服によって保持するための接続手段とを備える。この親子服によれば、親および子供ともに、服としての感覚で着用することが可能になるため、個々においても、通常の服としてのファッション性、カジュアル性を楽しむことができ、一方で必要に応じて、子守帯として用いることが可能になる。その結果、男性であっても抵抗なく親子服を着用することができ、男性の育児参加を促すことが可能になる。
また、上記親子服において好ましくは、上記親側服は、一対の袖口を形成するように設けられる前身頃および後身頃と、上記前身頃および上記後身頃に設けられ、上記袖口の上側を通過するループ状の一対の肩ベルト部材と、上記前身頃および上記後身頃の下端部近傍領域に設けられ、上記肩ベルト部材の両下端部が連結されるループ状の腰ベルト部材と、上記子側服を接続するため、上記肩ベルト部材に連結される子供キャリア接続具とを有する。
この親子服の親側服によれば、前身頃および後身頃を備えていることから、外観上は、通常の服と同一視することが可能となり、親側服そのもののファッション性およびカジュアル性を維持させることが可能になる。また、子側服を接続し子供を保持した状態においては、子供の荷重は、ループ状の一対の肩ベルト部材およびこの肩ベルト部材の両下端部が連結されるループ状の腰ベルト部材に分散されることになるため、前身頃および後身頃に子供の荷重が加わることなく、また、前身頃および後身頃にしわ等を発生させることなく安定した状態で、子供を保持することが可能になる。
また、前身頃および後身頃に一対の肩ベルト部材が設けられていることから、肩ベルト部材のループの位置を安定させ、肩ベルト部材が親の肩から外れることを防止することが可能になる。さらに、腰ベルト部材が設けられ、この腰ベルト部材に肩ベルト部材の両下端部が連結されていることから、肩ベルト部材が親の身体から離れることを防止して、腰ベルト部材により確実に子供の荷重をサポートすることを可能としている。
また、上記親子服において好ましくは、上記子側服は、上記親側服に着脱可能に連結される接続具と、子供の股部を支持する股受部とを有する。この親子服の子側服によれば、股受部により子供の荷重を確実にサポートし、安全な状態で、親側服のキャリアに連結保持されることを可能としている。
また、上記親子服において好ましくは、上記親側服に対して、上記子側服は、そのすべてが取外し可能に設けられる。この親子服によれば、それぞれ独立した服として使用することが可能になり、親子服としての汎用性を拡大させることが可能になる。
また、上記親子服において好ましくは、上記子側服は少なくともその股受部を上記親側服に残して、他の領域を取外し可能に設けられる。この親子服によれば、親側服に常に子側服が存在することになるため、子供を抱っこする必要が生じた場合には、いつでも子守帯としての機能を発揮させることが可能になる。
また、上記親子服において好ましくは、上記親側服と上記子側服とは、服生地が同じである。これにより、親側服と子側服との、外観上のデザイン、看る者に与える印象の統一感を図ることが可能になり、ファッション性およびカジュアル性を向上させることが可能になる。
この発明の別の局面に基づいた大人服においては、使用者が装着し、使用者側連結具を有する使用者装着部材、および上記使用者側連結具に対して着脱可能に設けられる赤ちゃん側連結具を有し、上記使用者装着部材とともに赤ちゃんを保持するための赤ちゃん保持部材を用いて赤ちゃんを抱っこする際に着用される大人服であって、上記使用者側連結具を外方に向けて通過させ、この使用者側連結具と、上記赤ちゃん側連結具とを結合可能とするための第１開口部を備える。
この大人服によれば、親が使用者装着部材を装着した状態で、この大人服を着用した場合でも、第１開口部から、赤ちゃん保持部材の赤ちゃん側連結具と連結させるための使用者側連結具を外方に通過させることができるため、外観上は、普通の大人服の様相を呈しながら、大人服を着用したまま赤ちゃん保持部材を用いて赤ちゃんを抱っこすることが可能になる。
また、外観上は、通常の服と同一視することが可能であるため、大人服そのもののファッション性およびカジュアル性を維持させることが可能になる。その結果、男性であっても抵抗なくこの大人服を着用することができ、男性の育児参加を促すことが可能になる。また、通常のブルゾン等として着用することも可能である。
また、上記大人服において好ましくは、上記第１開口部は開閉可能に設けられる。これにより、状況に応じて開口部の開閉を行なうことが可能になる。
また、上記大人服において好ましくは、上記使用者装着部材は、使用者の腰部に装着され、使用者の前側部分で相互に着脱可能な分離ベルトを含む腰ベルト部材を有し、当該大人服は、上記分離ベルトを外方に向けて通過させ、当該大人服の外側において、上記分離ベルトの着脱を可能とするための第２開口部を備える。これにより、腰部においても、大人服の外側に、腰ベルト部材の一部を配置させることが可能になり、腰ベルト部材を用いた、赤ちゃん保持部材の固定が可能となる。
また、上記大人服において好ましくは、当該大人服の外面には、当該大人服に対して着脱可能な被覆部材が設けられ、上記第２開口部は、上記被覆部材に覆われる領域に設けられる。また、好ましくは、上記被覆部材は上端部が前身頃に固定されるポケットである。これにより、腰ベルト部材の大半がポケットにより覆われ、大人服の外観を損ねることなく、ファッション性、カジュアル性を維持させることが可能になる。
また、上記大人服において好ましくは、当該大人服は、上記使用者装着部材を、その内面側に着脱可能に連結するための連結手段を有する。これにより、使用者装着部材を大人服にあらかじめ連結させておくことで、大人服と使用者装着部材とを同時に着用することが可能となる。また、使用者装着部材を大人服から外しておくことで、大人服のみでの使用も可能となる。
この発明のさらに別の局面に基づいた大人服においては、大人が着用する大人服であって、前身頃の左右の上部領域に設けられ、表面から裏面に向けて貫通する１対の第１スリットを備える。また、好ましくは、上記第１スリットは、横方向に配置される。また、好ましくは、上記第１スリットは、縦方向に複数設けられる。
これにより、たとえば赤ちゃんを抱っこする場合に、この大人服の内側に使用者が使用者側連結具を有する使用者装着部材を装着した場合、第１スリットを用いて、使用者側連結具を外方に通過させることができる。その結果、大人服を着用したまま、赤ちゃん保持部材を用いて赤ちゃんを抱っこすることが可能になる。
また、外観上は、通常の服と同一視することが可能であるため、大人服そのもののファッション性およびカジュアル性を維持させることが可能になる。その結果、男性であっても抵抗なくこの大人服を着用することができ、男性の育児参加を促すことが可能になる。また、通常のブルゾン等として着用することも可能である。
また、上記大人服において好ましくは、上記前身頃の左右の下部領域に設けられ、表面から裏面に向けて貫通する１対の第２スリットを備える。また、好ましくは、上記第２スリットは、縦方向に配置される。これにより、腰部においても、大人服の外側に、腰ベルト部材の一部を配置させることが可能になり、腰ベルト部材を用いた、赤ちゃん保持部材の固定が可能となる。
また、上記大人服において好ましくは、上記第１および第２スリットは、開閉可能に設けられる。これにより、状況に応じて開口部の開閉を行なうことが可能になる。
また、上記大人服において好ましくは、当該大人服の外面には、当該大人服に対して着脱可能な被覆部材が設けられ、上記第２スリットは、上記被覆部材に覆われる領域に設けられる。また、好ましくは、上記被覆部材は、上端部側が前身頃に固定されたポケットである。これにより、腰ベルト部材の大半がポケットにより覆われ、大人服の外観を損ねることなく、ファッション性、カジュアル性を維持させることが可能になる。
発明を実施するための最良の形態
以下、この発明に基づいた実施の形態における大人服、子供服、親子服について、図を参照しながら説明する。
（実施の形態１）
まず、図１〜図４を参照して、この発明に基づいた実施の形態１における大人服について説明する。なお、図１は男性が本実施の形態における大人服１００を着用した場合の正面図であり、図２は大人服１００の正面図であり、図３は大人服１００の内面の状態を示す図であり、図４は、子供キャリア２００およびその子供キャリア２００を大人服１００に装着した状態を示す図である。
（大人服１００）
まず、図１から図３を参照して、この大人服１００の形態は、通常のワイシャツ、ジャケット、ブルゾン等の衣服と同じ形態を有し、前開き可能なように前身頃１０１ａ，１０１ｂと、この前身頃１０１ａ，１０１ｂとともに袖口１０３ａ，１０３ａを形成する後身頃１０２と、袖１０３，１０３を備えている。
この大人服１００の前身頃１０１ａ，１０１ｂの前面側の胸部あたりには、子供キャリア２００（後述）を接続するための、上部接続具１０４，１０６と、下部接続具１０５，１０７とが設けられている。
上部接続具１０４，１０６には、それぞれメス型バックル１０４ｂ，１０６ｂ、および、このメス型バックル１０４ｂ，１０６ｂを支持するためのベルト１０４ａ，１０６ａが設けられている。また、下部接続具１０５，１０７には、それぞれリング状バックル１０５ａ，１０７ａ、および、このリング状バックル１０５ａ，１０７ａを支持するためのベルト１０５ａ，１０７ａが設けられている。
また、大人服１００の前身頃１０１ａ，１０１ｂの前面側の腰部あたりには、前側において、オス型バックル１０９およびメス型バックル１１１により着脱可能な腰ベルト１０８，１１０が取付けられている。腰ベルト１０８の腹部の前側に位置する領域には、子供キャリア接続具の機能を内在させた子供キャリア１４０（１６０）が設けられるが、この子供キャリア１４０（１６０）の詳細構造および機能については、後述する実施の形態２および３において詳しく説明する。
この大人服１００の内面には、図３に示すように、前身頃１０１ａ，１０１ｂおよび後身頃１０２の内面側に設けられ、袖口１０３ａの上側を通過するループ状の一対の肩ベルト部材１２４，１２５と、前身頃１０１ａ，１０１ｂおよび後身頃１０２の下端部近傍領域に設けられ、肩ベルト部材１２４，１２５の両下端部が連結されるループ状の腰ベルト部材１２１，１２２，１２３が設けられている。
上記ベルト１０６ａ，１０７ａは、領域Ｘ１において、肩ベルト部材１２４に連結され、上記ベルト１０４ａ，１０５ａは、領域Ｘ２において、肩ベルト部材１２５に連結されている。また、腰ベルト１０８は、領域Ｙ１において、腰ベルト部材１２２に連結され、腰ベルト１１０は、領域Ｙ２において、腰ベルト部材１２３に連結されている。
（子供キャリア２００）
次に、図４を参照して、子供キャリア２００は、背面保持部材２０１、股間部保持部材２１０、および、腹部保持部材２１３を備え、全体として縦長の帯状の形態を呈している。背面保持部材２０１の頭部側には、頭部保護パッド２２７が設けられ、背面保持部材２０１の上端部両側には、側部保持部材２２０，２２１が設けられている。側部保持部材２２０，２２１にはベルト部材２２２，２２３が設けられ、このベルト部材２２２，２２３の先端部には、オス型バックル２０９，２２５が連結されている。
背面保持部材２０１の下端部両側には、耳状部材２１９が設けられ、この耳状部材１１９には、腹部保持部材２１３から側面に向かって延びる腹ベルト２１５に設けられるクリップ２１７が係合するためのリング部材２３２が設けられている。股間部保持部材２１０の外側には、リング部材２３４を通過する帯状部材２２８が設けられ、この帯状部材２２８の先端部には、ベルトを介してクリップ２３０が取付けられている。
（使用状態）
図４に示すように、親１が上記大人服１００を着用し、子供キャリア２００により赤ちゃん２を横抱きに抱っこした状態においては、大人服１００に設けられた上部接続具１０４，１０６のメス型バックル１０４ｂ，１０６ｂに、子供キャリア２００のオス型バックル２０９，２２５が連結され、大人服１００に設けられた下部接続具１０７のリング状バックル１０７ｂに子供キャリア２００のクリップ２３０が係合している。なお、赤ちゃん２を抱っこする方向が反対の場合は、クリップ２３０は、下部接続具１０５のリング状バックル１０５ｂに係合することになる。
（作用・効果）
上記実施の形態における親子服における大人服１００によれば、図１および図２に示すように、前身頃１０１ａ，１０１ｂおよび後身頃１０２を備えていることから、外観上は、通常の服と同一視することが可能となり、大人服１００を大人服として、そのもののファッション性およびカジュアル性を維持させることが可能になる。その結果、男性であっても抵抗なくこの大人服としてこの大人服１００を着用することができ、男性の育児参加を促すことが可能になる。
また、肩ベルト部材１２４，１２５は、前身頃１０１ａ，１０１ｂの内側に配置されていることから、外観上現れてこないため、服のデザイン、ファッション性、カジュアル性を損なうことがない。また、上部接続具１０４，１０６および下部接続具１０５，１０７は、前身頃１０１ａ，１０１ｂの外側に露出する外面側に設けられることにより、子供キャリアを接続するときの操作性を維持させることが可能となる。
また、上述したように、肩ベルト部材１２４，１２５、腰ベルト部材１２１，１２２，１２３、上部接続具１０４，１０６、および、下部接続具１０５，１０７を配置することにより、子供の荷重は、肩ベルト部材１２４，１２５およびこの肩ベルト部材１２４，１２５が連結されるループ状の腰ベルト部材１２１，１２２，１２３に分散されることになるため、前身頃１０１ａ，１０１ｂおよび後身頃１０２に子供の荷重が加わることなく、また、前身頃１０１ａ，１０１ｂおよび後身頃１０２にしわ等を発生させることなく安定した状態で、子供を保持することが可能になる。
また、前身頃１０１ａ，１０１ｂおよび後身頃１０２に一対の肩ベルト部材１２４，１２５が設けられていることから、肩ベルト部材１２４，１２５のループの位置を安定させ、肩ベルト部材１２４，１２５が親の肩から外れることを防止することが可能になる。
さらに、腰ベルト部材１２１，１２２，１２３が設けられ、この腰ベルト部材１２１，１２２，１２３に肩ベルト部材１２４，１２５の両下端部が連結されていることから、肩ベルト部材１２４，１２５が親の身体から離れることを防止して、腰ベルト部材１２１，１２２，１２３により確実に子供の荷重をサポートすることを可能としている。
なお、本実施の形態においては、上部接続具１０４，１０６および下部接続具１０５，１０７は、前身頃１０１ａ，１０１ｂの外側に露出する形態を示しているが、不使用時には収納するためのポケット等の収容領域を設けることも可能である。
また、上部接続具１０４，１０６および下部接続具１０５，１０７を、前身頃１０１ａ，１０１ｂの内側に配置し、前身頃１０１ａ，１０１ｂを両側に開放させた状態で、子供キャリア２００を装着することも可能である。
また、本実施の形態においては、子供キャリア２００において、赤ちゃんを横抱きする場合について説明しているが、子供キャリア２００に種々の接続具を付加することにより、縦抱きを可能にすることも可能である。また、この場合には、上部接続具１０４，１０６および下部接続具１０５，１０７を、後身頃１０２側に設けることで、おんぶをすることも可能になる。
（実施の形態２）
次に、図５〜図７を参照して、この発明に基づいた実施の形態２における親子服について説明する。この実施の形態において、大人服は、上記実施の形態１において説明した大人服１００を使用するものであり、特徴は、子供キャリア１４０の構造にある、したがって、ここでは、子供キャリア１４０の構造について説明する。なお、図５は、この実施の形態における子供キャリア１４０の構造を示す展開図であり、図６は、子供キャリア１４０を折りたたんだ状態の縦断面図であり、図７は、この実施の形態における大人服１００および子供キャリア１４０の使用状態を示す図である。
（子供キャリア１４０の構造）
本実施の形態における子供キャリア１４０は、腰ベルト１０８が通過可能な領域を形成するように、腹部パッド１４１と、ループ部材１４２と、このループ部材１４２を略覆うカバー１４３とを有する。カバー１４３の内側の腹部パッド１４１には、子供の股間部を支持する股受部１４６と、子供を背面側から支持する背面サポート部１４７と、子供を両側面側から支持する側面サポート部１４８，１４８とを有する子供支持部材１４９が接続されている。この子供支持部材１４９は、腹部パッド１４１に固定的に取付けても構わないし、また、ファスナ等の接続具を用いることにより着脱可能に取付けることも可能である。
子供支持部材１４９の股受部１４６とは反対側には、一対の接続具１５０，１５１が設けられている。この接続具１５０，１５１は、それぞれ、ベルト１５０ａ，１５１ａと、このベルト１５０ａ，１５１ａに連結されるオス型バックル１５０ｂ，１５１ｂとを備えている。
また、子供支持部材１４９の股受部１４６側には、赤ちゃんの腹部に配置される、腹部ベルト１５４，１５６が取付けられ、この腹部ベルト１５４，１５６の相互の着脱を可能とするオス型バックル１５５、および、メス型バックル１５７が設けられている。また、背面サポート部１４７の外面側（赤ちゃんが接しない側）には、カバー１４３に設けられる係合フック１４４，１４５に係合可能な係合フック１５２，１５３が設けられている。
上記構成からなる子供キャリア１４０は、図６の断面図に示すように、子供支持部材１４９を折りたたむことにより、ループ部材１４２とカバー１４３との間に収納可能である。
（使用状態）
図７に示すように、子供キャリア１４０の使用状態においては、子供キャリア１４０に設けられるオス型バックル１５０ｂ，１５１ｂを、大人服１００に設けられた上部接続具１０４，１０６のメス型バックル１０４ｂ，１０６ｂに接続させることにより、赤ちゃん２を子供支持部材１４９によりサポートすることを可能としている。
（作用・効果）
以上、本実施の形態においては、上記実施の形態１と同様の作用効果が得られる。さらに、子供キャリア１４０は腰ベルト１０８に接続されていることから、子供２の荷重を確実に腰ベルト部材１２１，１２２，１２３に負担させることが可能になる。
また、子供キャリア１４０の不使用時には、腰ベルト１０８側に折りたたんで収納できることから、外出時等における子供キャリア１４０の持運び時に、別途子供キャリアを保持しなければならない煩わしさを排除し、また、子供キャリア１４０を使用したいときには、いつでも即座に使用することが可能になる。
（実施の形態３）
次に、図８〜図１２を参照して、この発明に基づいた実施の形態３における親子服について説明する。この実施の形態においては、親側服は、上記実施の形態１において説明した大人服１００を使用するものであり、特徴は、子供キャリア１６０および子供服としての子側服１７０の構造にある、したがって、ここでは、子供キャリア１６０および子側服１７０の構造について説明する。
なお、図８は、この実施の形態における子供キャリア１６０の構造を示す展開図であり、図９は、子供キャリア１６０を折りたたんだ状態の縦断面図であり、図１０は、この実施の形態における子側服１７０の構造を示す全体斜視図であり、図１１は、この実施の形態における子側服１７０の構造を示す展開図であり、図１２は、この実施の形態における親側服１００および子供キャリア１４０の使用状態を示す図である。
（子供キャリア１６０の構造）
本実施の形態における子供キャリア１６０は、上記子供キャリア１４０と同様に、腰ベルト１０８が通過可能な領域を形成するように、腹部パッド１４１と、ループ部材１４２と、このループ部材１４２を略覆うカバー１４３とを有する。カバー１４３の内側の腹部パッド１４１には、子供の股間部を支持する長方形形状の股受部１６１が接続されている。この股受部１６１は、腹部パッド１４１に固定的に取付けても構わないし、また、ファスナ等の接続具を用いることにより着脱可能に取付けることも可能である。
股受部１６１に他方端側には、ベルト１６２，１６４が設けられ、このベルト１６２，１６４の先端にはオス型バックル１６３，１６５が連結されている。ベルト１６２，１６４は、股受部１６１の外面側（赤ちゃんが接しない側）において交差するように腹部パッド１４１側にまで延びるように設けられている。
上記構成からなる子供キャリア１６０は、図９の断面図に示すように、股受部１６１を折りたたむことにより、ループ部材１４２とカバー１４３との間に収納可能である。また、ループ部材１４２とカバー１４３との間には、相互に係合可能な、係合フック１４４，１４５，１５２，１５３が設けられている。
（子側服１７０）
次に、図１０および図１１を参照して、本実施の形態における子側服１７０の構造について説明する。この子側服１７０は、前面生地１７１、背面生地１７２、背面生地１７２の上端部から前面生地１７１に延びる一対の肩ベルト１７３，１７６、この肩ベルト１７３，１７６の先端部に設けられるフック１７４，１７７、および、前面生地１７１の取付けられフック１７４，１７７が係合するボタン１７５，１７８を有し、全体としてはいわゆるオーバーオールの形態を呈している。また、背面生地１７２の内面側には、縦方向に延びる縦帯１７９，１８１が背面生地１７２に沿って縫い付けられており、この縦帯１７９，１８１の先端部には、クリップ１８０，１８２が設けられている。なお、縦帯１７９，１８１は、背面生地１７２の表面であれば、背面生地１７２の内外面側のどちらでもかまわない。
また、図１１に示すように、前面生地１７１と背面生地１７２とは、相互に設けられたボタン１８１ａ，１８１ｂにより、下半身部領域が開放可能に設けられている。縦帯１７９，１８１の下方端部は、子供の股間領域（図中Ｘ領域）にまで延び、横方向に延びる横帯１８３により連結されている。なお、本実施の形態においては、縦帯１７９，１８１および横帯１８３は１本の帯状部材から形成されている。
また、背面生地１７２の外面側には、接続具である縦帯１７９，１８１およびクリップ１８０，１８２を収納するためのポケット１８４が設けられている。
さらに、本実施の形態においては、親側服１００と子側服１７０との服生地、、色、柄、模様等が同じになるように、統一したデザインが施されている。
（使用状態）
図１２に示すように、子供キャリア１６０および子側服１７０の使用状態においては、まず、子供キャリア１６０に設けられるオス型バックル１６３，１６５を、親側服１００に設けられた上部接続具１０４，１０６のメス型バックル１０４ｂ，１０６ｂに接続させる。また、赤ちゃん２を子供キャリア１６０に載せた状態で、子側服１７０に設けられた、クリップ１８０，１８２を、親側服１００に設けられた下部接続具１０５，１０７のリング状バックル１０５ｂ，１０７ｂに係合させる。これにより、子供キャリア１６０および子側服１７０による赤ちゃん２のサポートが可能になる。
（作用・効果）
以上、本実施の形態においては、上記実施の形態１および２と同様の作用効果が得られる。また、股受部を有する子供キャリア１６０より子供の荷重を確実にサポートし、安全な状態で、親側服１００のキャリアに連結保持されることを可能としている。また、子側服１７０には、子供の荷重が加わる方向に沿って縦帯１７９，１８１が設けられていることになり、より効果的に子供の荷重を縦帯１７９，１８１によってサポートすることが可能となる。さらに、もっとも荷重が集中する股受部に横帯１８３を配置することで、子供の荷重が横帯１８３から縦帯１７９，１８１にかけて加わることになり、さらに効果的に子供の荷重を帯状部材によってサポートすることが可能となる。
また、縦帯１７９，１８１を子側服の背面側に設けることにより、縦帯１７９，１８１に荷重か加わった場合には、子供２を背面側から親側１に当接させる力が働き、子供２が親１から離れるのを防止して、子供２に安心感を与えることか可能となる。
また、子側服においても、オーバーオールタイプを採用することにより、親および子供ともに、服としての感覚で着用することが可能になるため、個々においても、通常の服としてのファッション性、カジュアル性を楽しむことができ、一方で必要に応じて、子守帯として用いることが可能になる。その結果、男性であっても抵抗なく親子服を着用することができ、男性の育児参加を促すことが可能になる。
（実施の形態４）
次に、図１３〜図２１を参照して、この発明に基づいた実施の形態４における大人服について説明する。なお、図１３は、親１が本実施の形態における大人服２００を装着した状態を示す正面図であり、図１４は大人服２００を開放状態にした場合の、親１が大人服２００の内側に装着する使用者装着部材４００の開放状態を、大人服２００とともに示した図であり、図１５は大人服２００のみの開放状態を示す図であり、図１６は大人服２００のみの閉じた状態を示す図であり、図１７は大人服２００の前身頃の表側を示す拡大図である。また、図１８は、使用者装着部材４００の構造を示す正面図であり、図１９は、使用者装着部材４００の構造を示す背面図である。また、図２０は、使用者装着部材４００に設けられる分離ベルトの結合状態を示す図である。また、図２１は親１が大人服２００のみを着用した場合の正面図である。
（大人服２００の構造）
まず、図１３〜図１７を参照して、この実施の形態における大人服２００は、前身頃３０２，３０３が開放されるブルゾンタイプである。前身頃３０２，３０３の上方部分には、後述する使用者装着部材４００に設けられる使用者側連結具４０４，４０５，４０６，４０７（図１８参照）を外方に向けて通過させるための開口部として、前身頃３０２には、縦方向に配置されるスリット３０４，３０５が設けられ、前身頃３０３には、縦方向に配置されるスリットスリット３０６，３０７が設けられる。スリット３０４，３０５，３０６，３０７のそれぞれは、略横方向に延びるように配置されている。スリット３０４，３０５，３０６，３０７には、その開口部を開閉可能とするためのファスナが設けられている。なお、ファスナに限らず、ボタン、マジックテープ（Ｒ）等を用いることも可能であり、また、開放状態のままでも構わない。なお、スリット３０４，３０５，３０６，３０７は、上下に２段設ける場合を示しているが、子供キャリア側に対応してその数量は決定される。
また、前身頃３０２，３０３の下方部分には、後述する使用者装着部材４００に設けられる分離ベルト４１０，４１２（図１８参照）を外方に向けて通過させるための開口部として、前身頃３０２には、縦方向に延びるように配置されるスリット３０８が設けられ、前身頃３０３には、縦方向に延びるように配置されるスリット３０９が設けられる。
後身頃３０１の内側には、後述する使用者装着部材４００を着脱可能に連結するための連結手段としての、ボタン３１１，３１２，３１３，３１４が上下所定の位置に設けられている。
大人服２００は、前身頃３０２，３０３の前側には、図１６に示すように、スリット３０８，３０９を覆うように被覆部材としてのポケット３１５，３１６が設けられている。このポケット３１５，３１６は、図１７に示すように、ポケット３１６の上端部のみが前身頃３０３に連結され、ポケット３１６が上方に向けて開くことにより、スリット３０９が露出するように設けられている。前身頃３０３とポケット３１６との間には、ポケット３１６を前身頃３０３に着脱可能に固定するためのボタン３１８，３１９が設けられている。ボタン３１８，３１９以外にも、ファスナ、マジックテープ（Ｒ）等の採用が可能である。なお、図１７においては、便宜上前身頃３０３側のみ説明したが、前身頃３０２側においても同様の構成が採用される。
（使用者装着部材４００の構造）
次に、図１８および図１９を参照して、使用者装着部材４００の構造について説明する。この使用者装着部材４００は、使用者である親１に装着されることを目的としており、使用者用背中パッド部材４０１と、この使用者用背中パッド部材４０１の上端部から上方に延びるように設けられる１対の肩ベルト４０２，４０３とを備える。また、使用者装着部材４００の下端部領域に、親１の腰部に装着される腰ベルトが設けられている。
肩ベルト４０２の外面には、使用者側連結具としてのメス型バックル４０４と、このメス型バックル４０４の下方に同じく使用者側連結具としてのループ４０５が設けられている。また、肩ベルト４０３の外面においても、使用者側連結具としてのメス型バックル４０６と、このメス型バックル４０６の下方に同じく使用者側連結具としてのループ４０７が設けられている。
腰ベルトは、使用者用背中パッド部材４０１の下端部から環状に配置される腰パット４０８，４０９、および、この腰パット４０８，４０９の外面側に配置され、使用者の前側部分において相互に着脱可能に設けられる、分離ベルト４１０，４１２を有する。分離ベルト４１０の先端部分には、メス型バックル４１１が設けられ、分離ベルト４１２の先端部分には、オス型バックル４１３が設けられている。分離ベルト４１０，４１２を相互に着脱可能にするために、一対のバックルを用いるようにしたが、他の着脱可能な連結器具を採用することも可能である。
使用者用背中パッド部材４０１の外面には、図１９に示すように、使用者装着部材４００を大人服２００の後身頃３０１の内側に対して着脱可能に連結するため、後身頃３０１の内側に設けられたボタン３１１，３１２，３１３，３１４のそれぞれに係合するボタン４１４，４１５，４１６，４１７が設けられている。なお、ボタン３１１〜３１４，４１４〜４１７については、大人服２００の内側に使用者装着部材４００を着脱可能に装着することができるものであればよく、たとえば、マジックテープ（Ｒ）、ファスナ等の採用が可能である。
（大人服２００の着用状態）
親１が、使用者装着部材４００を装着した場合の大人服２００の着用状態を、図１３および図２０を参照して説明する。まず、図１３に示すように、大人服２００側に設けられたスリット３０４からメス型バックル４０４が外方に向けて通過するように引き出され、スリット３０５からループ４０５が外方に向けて通過するように引き出される。また、スリット３０６からもメス型バックル４０６が外方に向けて通過するように引き出され、スリット３０７からループ４０７が外方に向けて通過するように引き出される。
腰ベルトは、図２０に示すように、腰パット４０８および分離ベルト４１０が、ポケット３１５に覆われるように設けられたスリット３０８から外方に向けて通過するように引き出され、腰パット４０９および分離ベルト４１２が、ポケット３１６に覆われるように設けられたスリット３０８から外方に向けて通過するように引き出される。分離ベルト４１０の先端部分に設けられるメス型バックル４１１と、分離ベルト４１２の先端部分に設けられるオス型バックル４１３とは、大人服２００の外側において着脱可能に連結される。これにより、腰ベルト部材を用いた、赤ちゃん保持部材の固定が可能となる。
（作用・効果）
このようにして、大人服２００の内側に使用者装着部材４００を装着した場合においても、上記図４、図７、および、図１２を用いて説明した赤ちゃんの抱っこ形態を実現させることが可能になる。
また、外観上は、通常の服と同一視することが可能であるため、大人服２００そのもののファッション性およびカジュアル性を維持させることが可能になる。その結果、男性であっても抵抗なくこの大人服を着用することができ、男性の育児参加を促すことが可能になる。また、図２１に示すように、通常のブルゾン等として着用することも可能となる。
また、使用者装着部材４００を装着した場合においても、腰ベルト部材の大半がポケット３１５，３１６により覆われ、大人服２００の外観を損ねることなく、ファッション性、カジュアル性を維持させることを可能としている。
（実施の形態５）
次に、図２２〜図３１を参照して、この発明に基づいた実施の形態５における親子服について説明する。なお、図２２は男性が本実施の形態における大人服６００により子供キャリア７００を着用した場合の図であり、図２３〜図２６は大人服６００の構造を説明するための図であり、図２７〜図３１は、子供キャリア７００の構造を説明するための図である。
（大人服６００）
まず、図２３から図２６を参照して、この大人服６００の形態は、上述したブルゾンタイプとは異なり、袖のないベストタイプの形態を有している。前開きが可能なように前身頃６０１ａ，６０１ｂと、この前身頃６０１ａ，６０１ｂともに袖口６０３ａ，６０３ａを形成する後身頃６０２とを備えている。図２６から明らかなように、この大人服６００においては、前身頃６０１ａ，６０１ｂの下端と後身頃６０２の下端とは分離した構造を採用している。なお、連結させる構成の採用も可能である。
前身頃６０１ａ，６０１ｂの前面側から後身頃６０２にかけて、肩ベルト部材６２４，６２５が取り付けられている。また、腰部に相当する位置には、前身頃６０１ａ，６０１ｂの下端から後身頃６０２にかけて取囲むように腰ベルト部材６２１が設けられている。後身頃６０２の下端部においては、腰ベルト部材６２１と肩ベルト部材６２４，６２５とが領域Ｘ１，Ｘ２において連結するように相互に縫い付けられている。
肩ベルト部材６２４，６２５の前面側の胸部あたりには、子供キャリア７００（後述）を接続するための、メス型バックル６０４，６０６と、リング状バックル６０５，６０７とがそれぞれ連結されている。前身頃６０１ａ，６０１ｂの下端には、ループ領域Ｓ１，Ｓ２が設けられ、腰ベルト部材６２１は、このループ領域Ｓ１，Ｓ２を通過するように配設される。また、前身頃６０１ａ，６０１ｂの下端部における肩ベルト部材６２４，６２５の外側には、ループ領域Ｓ３，Ｓ４を形成する補助ベルト６０８，６１０が設けられ、腰ベルト部材６２１はこのループ領域Ｓ３，Ｓ４をも通過するように配設される。
腰ベルト部材６２１の両端部には、オス型バックル６０９およびメス型バックル６１１が設けられ、身体の前側において着脱可能としている。腰ベルト部材６２１の腹部の前側に位置する領域には、子供キャリア接続具の機能を内在させた接続具６５０が設けられるが、この接続具６５０の詳細構造および機能については、実施の形態２および３において説明したものと同様であるため、ここでの説明は省略する。
また、この大人服６００には、前身頃６０１ａ，６０１ｂおよび後身頃６０２に対してスナップボタン６４０により着脱可能なフード６３０が設けられている。前身頃６０１ａ，６０１ｂおよび後身頃６０２の上端部には、一方のスナップボタン６４０ａが設けられ、フード６３０の下端部の対応する位置には、他方のスナップボタン６４０ｂが設けられている。
（子供キャリア７００）
次に、図２７〜図２９を参照して、子供キャリア７００は、背面保持部材７０１、股間部保持部材７１０、腹部保持部材７１３、および背中部保持部材７１８を備え、全体として縦長の形態を呈している。
背面保持部材７０１の両側には、側部保持部材７０２，７０３が設けられている。側部保持部材７０２，７０３のそれぞれの両側の上端部分には、延長部７０４，７０５が設けられ、この延長部７０４，７０５には、上方に延びるようにベルト部材７０６，７０７が設けられている。ベルト部材７０６，７０７の先端部分には、ベルト部材７０６，７０７の長さ調節が可能な、オス型バックル７０８，７０９が連結されている。
背面保持部材７０１の外面部には、その上部が開放状態となる袋状部材７０１ａが設けられている。背面保持部材７０１と袋状部材７０１ａとの間によって形成される空間には、後述する帯状支持部材７２８が収納可能とされる（図２２、図３３参照）。また、袋状部材７０１ａの外面の両側部には、リング状部材７３１，７３２がそれぞれ設けられている。
股間部保持部材７１０は、赤ちゃんの股部の形状に沿うように両側が内側に切り込まれた曲面領域７１１ａ，７１１ｂが形成されている。また、ベルト部材７０６，７０７は、延長部７０４，７０５の領域Ｘ５，Ｘ６において強固に固定されるとともに、側部保持部材７０２，７０３の外側に沿って配置され、さらに、この股間部保持部材７１０の略中央部分で交差するように配置された後、腹部保持部材７１３の先端部にまで配設される。また、股間部保持部材７１０の外面部には、股間部保持部材７１０との間に通過領域を形成するようにループ７３５が取付けられている。
腹部保持部材７１３の先端部分には、横方向に延びる貫通路７１４が設けられ、この貫通路７１４の内部には、ベルト７１５が配置され、このベルト７１５の両側の先端部分には、ベルト７１５の長さ調節が可能なフック部材７１６，７１７が設けられている。なお、ベルト７１５は、貫通路７１４内の領域Ｘ９において縫付により固定されている。
股間部保持部材７１０と腹部保持部材７１３との境界領域の外面部には、ファスナレール７３３が設けられ、このファスナレール７３３には、ファスナ７３３Ａが設けられている。また、このファスナレール７３３の近傍には、係合フック７３４が設けられている。
背中部保持部材７１８は、上部両側において左右方向に延びる延長部５２１，５２２が設けられ、この延長部７２０，７２１には、ループ部材５２２，５２３が、それぞれ領域Ｘ７，Ｘ８において強固に縫付固定されている。図２８および図２９に示すように、このループ部材５２２，５２３には、延長部７０４，７０５から延びるベルト部材７０６，７０７がそれぞれ通過するように配置される。これにより、ループ部材５２２，５２３が設けられる延長部７２０，７２１は、背中部保持部材７１８に対して立上がるようになり、赤ちゃんの側部を保護することが可能になる。
この背中部保持部材７１８の上端部には、そのデザインが大人服６００に設けられるフード６３０と同じであるフード７４０が設けられている。
また、図２８および図３０を参照して、背中部保持部材７１８は芯材としての上部パッド部材７１８ｂおよび下部パッド部材７１８ｃを備え、上部パッド部材７１８ｂに対して、下部パッド部材７１８ｃは、内側（後述する帯状支持部材７２８が設けられる側とは反対側）に向けて屈曲するように取付けられている。上部パッド部材７１８ｂおよび下部パッド部材７１８ｃの表面は、通気性のあるクッション部材で覆われている。
上部パッド部材７１８ｂおよび下部パッド部材７１８ｃは、背面保持部材７０１と袋状部材７０１ａとの間に設けられた空間内に、下部パッド部材７１８ｃが収容可能に設けられ、背面保持部材７０１と下部パッド部材７１８ｃとの間には、面ファスナ７０１ｂが設けられることにより、背面保持部材７０１と下部パッド部材７１８ｃとの着脱が可能に設けられている。
背中部保持部材７１８の外側には、背中部保持部材７１８の上端部から股間部保持部材７１０にかけて帯状支持部材７２８が設けられている。帯状支持部材７２８は、その上端部のみが背中部保持部材７１８に固定されている。また、上部パッド部材７１８ｂの外側に位置する領域においては、使用者であるお父さんの手を挿入することができるように（図２２参照）、空間７２８ａが形成されるように、帯状支持部材７２８が背中部保持部材７１８に取付けられている。
帯状支持部材７２８の下方先端部分には、ベルト７２９が取り付けられ、このベルト７２９の先端部分には、ベルト７２９の長さ調節が可能なフック部材７３０Ｂが設けられている。
また、この帯状支持部材７２８の不使用時には、図３１に示すように、背面保持部材７０１と袋状部材７０１ａとの間に設けられた空間内に収容可能に形成されている。
背中部保持部材７１８の上端部には、赤ちゃんの頭部領域を保護するためのフォード７４０が設けられ、柔軟なクッション部材から構成されている。また、フード７４０は、図３０に示すように、内側に向く位置と、図３１に示すように、外側に向く位置とが選択可能に設けられている。
（使用状態）
たとえば、図２２に示すように、父親１が上記大人服６００を着用し、子供キャリア７００により赤ちゃん２を対面縦抱きに抱っこした状態においては、大人服６００に設けられたメス型バックル６０４，６０６に、子供キャリア７００のオス型バックル７０８，７０９が連結される。また、大人服６００に設けられた接続具６５０にファスナレール７３３に係合させるとともに、係合フック７３４を連結する。
（作用・効果）
上記実施の形態における親子服における大人服６００においても、ベストタイプの形状を有しているが、図２２に示すように、前身頃６０１ａ，６０１ｂおよび後身頃６０２を備えていることから、外観上は、通常のベストと同一視することが可能となり、大人服６００を大人服として、そのもののファッション性およびカジュアル性を維持させることが可能になる。また、大人服６００に設けられるフード６３０のデザインと、子供キャリア７００に設けられるフード７４０のデザインとの統一化を図ることにより、親子服全体としての統一感が生まれ、ファッション性およびカジュアル性を向上させることを可能とする。その結果、男性であっても抵抗なくこの大人服としてこの大人服６００を着用することができ、男性の育児参加を促すことが可能になる。
また、上述したように、肩ベルト部材６２４，６２５、腰ベルト部材６２１、メス型バックル６０４，６０６、およびリング状バックル６０５，６０７を配置することにより、子供の荷重は、肩ベルト部材６２４，６２５およびこの肩ベルト部材６２４，６２５が連結されるループ状の腰ベルト部材６２１に分散されることになるため、安定した状態で子供を保持することが可能になる。
また、腰ベルト部材６２１に肩ベルト部材６２４，６２５が連結されていることから、肩ベルト部材６２４，６２５が親の身体から離れることを防止して、腰ベルト部材６２１により確実に子供の荷重をサポートすることを可能としている。
また、本実施の形態においては、子供キャリア７００において、赤ちゃんを縦きする場合について説明しているが、図４に示すように、赤ちゃんを横抱きにすることも可能であるにすることも可能である。また、各実施の形態において示した大人服と子供キャリアとを適宜組合せて用いることも可能である。
なお、上記各実施の形態において大人服（親側服）１００，２００，６００は、前身頃が両開き型のものにつて説明したが、トレーナ、セーター等のように、前身頃が開かないタイプの衣服に適用することも可能である。
したがって、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
産業上の利用可能性
以上、この発明に基づいた大人服、子供服、および、親子服によれば、外観上は、通常の服と同一視することが可能となり、大人服、子供服、および、親子服そのもののファッション性およびカジュアル性を維持させることが可能になる。その結果、特に、男性であっても抵抗なくこの大人服、子供服、および親子服を着用することができ、男性の育児参加を促すことが可能になる。
【図面の簡単な説明】
図１は、実施の形態１における大人服を着用した場合の正面図である。
図２は、実施の形態１における大人服の正面図である。
図３は、実施の形態１における大人服の内面の状態を示す図である。
図４は、実施の形態１における子供キャリアおよびその子供キャリアを大人服に装着した状態を示す図である。
図５は、実施の形態２における子供キャリアの構造を示す展開図である。
図６は、実施の形態２における子供キャリアを折りたたんだ状態の縦断面図である。
図７は、実施の形態２における大人服および子供キャリアの使用状態を示す図である。
図８は、実施の形態３における子供キャリアの構造を示す展開図である。
図９は、実施の形態３における子供キャリアを折りたたんだ状態の縦断面図である。
図１０は、実施の形態３における子側服の構造を示す全体斜視図である。
図１１は、実施の形態３における子側服の構造を示す展開図である。
図１２は、実施の形態３における親側服および子供キャリアの使用状態を示す図である。
図１３は、実施の形態４における大人服を装着した状態を示す正面図である。
図１４は、実施の形態４における大人服を開放状態にした場合の、大人服の内側に装着する使用者装着部材の開放状態を、大人服とともに示した図である。
図１５は、実施の形態４における大人服のみの開放状態を示す図である。
図１６は、実施の形態４における大人服２００のみの閉じた状態を示す図である。
図１７は、実施の形態４における大人服の前身頃の表側を示す拡大図である。
図１８は、使用者装着部材の構造を示す正面図である。
図１９は、使用者装着部材の構造を示す背面図である。
図２０は、使用者装着部材に設けられる分離ベルトの結合状態を示す図である。
図２１は、実施の形態４における大人服のみを着用した場合の正面図である。
図２２は、実施の形態５における子供キャリアおよびその子供キャリアを大人服に装着した状態を示す図である。
図２３は、実施の形態５における大人服の第１正面図である。
図２４は、実施の形態５における大人服の第２背面図である。
図２５は、実施の形態５における大人服の第２正面図である。
図２６は、実施の形態５における大人服の第２背面図である。
図２７は、実施の形態５における子供キャリアの第１正面図である。
図２８は、実施の形態５における子供キャリアの第２正面図である。
図２９は、実施の形態５における子供キャリアの背面図である。
図３０は、図２８中ＸＸＸ−ＸＸＸ線矢視第１断面図である。
図３１は、図２８中ＸＸＸ−ＸＸＸ線矢視第２断面図である。
【図１】
2003082034.tif 000003
【図２】
2003082034.tif 000004
【図３】
2003082034.tif 000005
【図４】
2003082034.tif 000006
【図５】
2003082034.tif 000007
【図６】
2003082034.tif 000008
【図７】
2003082034.tif 000009
【図８】
2003082034.tif 000010
【図９】
2003082034.tif 000011
【図１０】
2003082034.tif 000012
【図１１】
2003082034.tif 000013
【図１２】
2003082034.tif 000014
【図１３】
2003082034.tif 000015
【図１４】
2003082034.tif 000016
【図１５】
2003082034.tif 000017
【図１６】
2003082034.tif 000018
【図１７】
2003082034.tif 000019
【図１８】
2003082034.tif 000020
【図１９】
2003082034.tif 000021
【図２０】
2003082034.tif 000022
【図２１】
2003082034.tif 000023
【図２２】
2003082034.tif 000024
【図２３】
2003082034.tif 000025
【図２４】
2003082034.tif 000026
【図２５】
2003082034.tif 000027
【図２６】
2003082034.tif 000028
【図２７】
2003082034.tif 000029
【図２８】
2003082034.tif 000030
【図２９】
2003082034.tif 000031
【図３０】
2003082034.tif 000032
【図３１】
2003082034.tif 000033
【国際調査報告】
2003082034.tif 000034
2003082034.tif 000035
2003082034.tif 000036
2003082034.tif 000037